(57)【要約】【課題】裁断・製本作業を簡易かつ均質化を図ることができる付属物作製シートを提案する。【解決手段】本考案は、ディスク収納ケースに用いられるジャケットの作製シートであって、少なくとも１つの定型紙からなり、第１の定型紙は、前記ケースの表面部分に対応する表ジャケット部分及び当該表ジャケット部分に隣接して配置された、前記ケースの裏面部分に対応する裏ジャケット部分を含み、かつ、前記表ジャケット部分及び前記裏ジャケット部分のそれぞれの周縁に沿って形成された複数の切り離し用目打ちを含む、ことを特徴とするジャケットの作製シートである。【選択図】図１
0003174078.tif 000002
【実用新案登録請求の範囲】
【請求項１】
ディスク収納ケースに収納される付属物の作製シートであって、
少なくとも１つの定型紙からなり、
第１の定型紙は、前記ケースの表面部分に対応する表ジャケット部分及び当該表ジャケット部分に隣接して配置された、前記ケースの裏面部分に対応する裏ジャケット部分を含み、かつ、前記表ジャケット部分及び前記裏ジャケット部分のそれぞれの周縁に沿って形成された複数の切り離し用目打ちを含む、
ことを特徴とする付属物の作製シート。
【請求項２】
前記第１の定型紙は、前記表ジャケット部分内に形成され、当該表ジャケット部分を形成する一対の前記切り離し用目打ちに沿って形成された一対の折り曲げ用目打ち、及び前記裏ジャケット部分内に形成され、当該裏ジャケット部分を形成する一の前記切り離し用目打ちに沿って形成された折り曲げ用目打ちを含む、
ことを特徴とする請求項１記載の付属物の作製シート。
【請求項３】
第２の定型紙をさらに含み、
前記第２の定型紙は、相互に隣接して配置された複数の歌詞カード部分を含み、かつ、前記複数の歌詞カード部分のそれぞれの周縁に沿って形成された切り離し用目打ち、及び前記歌詞カード部分における一の対称軸に沿って形成された折り曲げ用目打ちを含む、
ことを特徴とする請求項１又は２記載の付属物の作製シート。
【請求項４】
前記切り離し用目打ちと交わる位置関係にある前記折り曲げ用目打ちの端部は、非切り込み部分が形成される、
ことを特徴とする請求項１乃至３記載の付属物の作製シート。
【考案の詳細な説明】
【技術分野】
【０００１】
本考案は、ディスクメディアを収納するケースにＣＤ等とともに収納される付属物の作製シートに関する。
【背景技術】
【０００２】
コンパクトディスク（ＣＤ）やデジタルバーサタイルディスク（ＤＶＤ）、ブルーレイディスク等は、写真や音楽、映像等のデジタルコンテンツを記録するための記録媒体として広く普及している。これらＣＤ等は、典型的には、「ジャケット」と呼ばれるシートやリーフレット或いはブックレットといった付属物ともに透明のケースに収納され、パッケージ商品として流通、販売される。このようなジャケット等の付属物には、例えば、ＣＤ等に記録されたコンテンツに関する記述（曲目、歌詞等）や写真、イラスト等が印刷される。
【０００３】
下記特許文献１には、受付店において、ユーザが持ち込んだ画像又は画像データから、ジャケットシート作成用ソフトウエアを用いて、ＣＤケースのジャケットシート用の画像データを作成するジャケットシートの作成方法が開示されている。かかる作成方法では、印刷物の品質を高めるべく写真用印画紙が用いられ、また、印画紙現像処理を行った後に写真用印画紙はケースのサイズに応じて所定の長さ毎に切断される。
【先行技術文献】
【特許文献】
【０００４】
【特許文献１】特開２００４−２９５９９５公報
【考案の概要】
【考案が解決しようとする課題】
【０００５】
近年、ネットワークを介したデジタルコンテンツの販売が主流になりつつある。このようなネットワークを介したコンテンツの販売は、コンテンツ供給者は、在庫を抱える心配がないため、多くの種類のコンテンツを取り扱うことができ、また、消費者にとっても利便性が高い。一方で、従来型のパッケージ商品に対しては、コンテンツが高品質のデジタルデータを利用できること、コレクションとしての価値があることから、今なお、一部の消費者の需要は存在する。従って、コンテンツ供給者は、このような消費者の需要をも満たすべく、パッケージ商品の販売を継続して行っている。
【０００６】
このような状況下で、コンテンツ供給者は、不稼働在庫の圧縮を図り、少量多品種のパッケージ商品のオンデマンド生産・販売が試みられている。オンデマンド生産・販売においては、ＣＤ等をプレスにより製造するとともに、ジャケットを作成する必要がある。ジャケットは、典型的には、シートに印刷が施され、裁断され、製本化されることで、作成される。
【０００７】
しかしながら、このような裁断や製本等の作業は、熟練の技術を要し、また、時間もかかるため、人手を介していたのでは効率的ではない。一方、自動製本機の導入には、コストがかかるため、少量多品種の製造・販売には適さず、その導入は費用対効果の観点から現実的でない。
【０００８】
また、上記特許文献１は、ジャケットシートの作成方法を提案しているものの、写真用印画紙の裁断に関しては、店員が裁断機を利用して、適切な大きさに裁断しているため、裁断寸法のばらつきが生じるという問題がある。
【０００９】
そこで、本考案は、裁断・製本作業を簡易かつ均質化を図ることができる、ジャケット等の付属物の作製シートを提案する。
【００１０】
なお、上記目的に限らず、後述する考案を実施するための形態に示す構成により導かれる作用効果であって、従来の技術によっては得られない作用効果を奏することも本考案の目的の一つとして考慮される。
【課題を解決するための手段】
【００１１】
上記課題を解決するために、本考案は、以下の技術的特徴を含む。
【００１２】
即ち、本考案は、ディスク収納ケースにＣＤ等ともに収納されるジャケット等の付属物の作製シートであって、少なくとも１つの定型紙からなり、第１の定型紙は、前記ケースの表面部分に対応する表ジャケット部分及び当該表ジャケット部分に隣接して配置された、前記ケースの裏面部分に対応する裏ジャケット部分を含み、かつ、前記表ジャケット部分及び前記裏ジャケット部分のそれぞれの周縁に沿って形成された複数の切り離し用目打ちを含む、ことを特徴とするジャケットの作製シートである。
【００１３】
ここで、前記第１の定型紙は、前記表ジャケット部分内に形成され、当該表ジャケット部分を形成する一対の前記切り離し用目打ちに沿って形成された一対の折り曲げ用目打ち、及び前記裏ジャケット部分内に形成され、当該裏ジャケット部分を形成する一の前記切り離し用目打ちに沿って形成された折り曲げ用目打ちを含んでもよい。
【００１４】
また、前記付属物の作製シートは、第２の定型紙をさらに含み、前記第２の定型紙は、相互に隣接して配置された複数の歌詞カード部分を含み、かつ、前記複数の歌詞カード部分のそれぞれの周縁に沿って形成された切り離し用目打ち、及び前記歌詞カード部分における一の対称軸に沿って形成された折り曲げ用目打ちを含んでもよい。
【００１５】
さらに、前記切り離し用目打ちと交わる位置関係にある前記折り曲げ用目打ちの端部は、非切り込み部分が形成されてもよい。
【考案の効果】
【００１６】
本考案によれば、付属物作製シートから作業に不慣れな者でも容易に付属物（ジャケット等）を切り出すことができ、付属物作製の裁断・製本作業の均質化、効率化を図ることができるようになる。
【図面の簡単な説明】
【００１７】
【図１】本考案の一実施形態に係る付属物作製シートの一例を示す図である。
【図２】本考案の一実施形態に係る付属物作製シートの他の例を示す図である。
【考案を実施するための形態】
【００１８】
次に、本考案の実施の形態について、図面を参照しつつ説明する。
【００１９】
図１は、本考案の一実施形態に係る付属物作製シートの一例を示す平面図である。本実施形態に係る付属物作製シートは、ＣＤ等のディスクメディアの収納ケースにＣＤ等とともに収納されジャケットやリーフレット、ブックレット（小冊子）を作製するための元となるシートである。なお、本明細書では、付属物とは、収納ケースの表裏面を飾る外装紙（いわゆるジャケット）のみならず、リーフレットやブックレットを含む広い意味で用いている。
【００２０】
同図を参照して、付属物作製シート１は、印刷を施すことが可能なシート状部材であり、例えば、Ａ４サイズの定型紙である。付属物作製シート１は、収納ケースの表面部分に対応する表ジャケット部分２及びその裏面部分に対応する裏ジャケット部分３を含む。図示してはいないが、表ジャケット部分２及び裏ジャケット部分３には、パッケージ商品としてのＣＤ等についての情報が印刷されている。
【００２１】
付属物作製シート１には、収納ケースの表面部分に対応する表ジャケット部分２を形成する切り離し用目打ち２１〜２４、及び収納ケースの裏面部分に対応する裏ジャケット部分３を形成する切り離し用目打ち３１〜３４が形成されている。目打ちとは、シート状部材の一部を切り離し易いように連続的に開けられた穴或いは破線状の切り込みをいい、ミシン目と呼ばれることもある。つまり、１枚の付属物作製シート１からは、収納ケースの表面を飾る表ジャケットと裏面を飾る裏ジャケットとが切り出されるようになっている。なお、本例では、１つの切り込み部分の長さと１つの非切り込み部分の長さとの比は１：１としている。このような目打ちは、既知の技術を利用して形成することができる。
【００２２】
具体的には、切り離し用目打ち２１及び２２は、表ジャケット部分２の上下端を形成するもので、その端部は、付属物作製シート１の左右両端まで延在している。また、切り離し用目打ち２３及び２４は、裏ジャケット部分３の左右端を形成するもので、その端部は、切り離し用目打ち２１及び２２まで延在している。
【００２３】
当業者にとって自明なように、切り離し用目打ち２１〜２４及び３１〜３４が形成される位置及びその形状は、ジャケットが挿入される収納ケースの形状及びサイズに依存する。付属物作製シート１が、Ａ４サイズの定型紙（２９７ｍｍ×２１０ｍｍ）である場合、一例として、切り離し用目打ち２１は、付属物作製シート１の上端から約２０ｍｍの位置、切り離し用目打ち２２は、付属物作製シート１の上端から約１３７ｍｍの位置に設けられ、また、切り離し用目打ち２３及び２４は、付属物作製シート１の左右それぞれの端から約３０ｍｍの位置に設けられる。
【００２４】
同様に、切り離し用目打ち３１及び３２は、裏ジャケット部分２の上下端を形成するもので、その端部は、付属物作製シート１の左右両端まで延在している。また、切り離し用目打ち３３及び３４は、裏ジャケット部分３の左右端を形成するもので、その端部は、切り離し用目打ち３１及び３２まで延在している。
【００２５】
同様に、一例として、切り離し用目打ち３１は、付属物作製シート１の下端から約２０ｍｍの位置、切り離し用目打ち３２は、付属物作製シート１の下端から約１３７ｍｍの位置に設けられる。従って、表ジャケット部分２と裏ジャケット部分３とは、約２３ｍｍのマージンが形成されることになる。また、切り離し用目打ち３３及び２４は、付属物作製シート１の左端から約３６ｍｍ、右端から約２７ｍｍの位置にそれぞれ設けられる。
【００２６】
また、表ジャケット部分２内には、切り離し用目打ち２３及び２４と並行して折り曲げ用目打ち２５及び２６が形成されている。折り曲げ用目打ちとは、１つ１つの非切り込みの長さを十分にとることで、切り離し用目打ちよりは切り離し難いが折り曲げ易くしたものである。本例では、折り曲げ用目打ちにおける１つの切り込み部分の長さと１つの非切り込み部分の長さとの比は１：２としている。
【００２７】
折り曲げ用目打ち２５及び２６は、切り離し用目打ち２１及び２２に向かって延在しているが、その端部Ｅは、非切り込み部分が形成されるようになっている。つまり、折り曲げ用目打ち２５及び２６の切り込み部分は、切り離し用目打ち２１及び２２の切り込み部分又は非切り込み部分に接続することはない。これにより、付属物作製シート１の切り離し作業において、誤って、折り曲げ用目打ち２５及び２６で切り離されることがないようになっている。
【００２８】
折り曲げ用目打ち２５及び２６は、一例として、切り離し用目打ち２３及び２４から内側に６ｍｍの位置に設けられる。
【００２９】
同様に、裏ジャケット部分３内には、切り離し用目打ち３４と並行して折り曲げ用目打ち３５が形成されている。折り曲げ用目打ち３５は、一例として、切り離し用目打ち３４及び２２から内側に９ｍｍの位置に設けられる。
折り曲げ用目打ち３５もまた、その端部Ｅは、非切り込み部分が形成されるようになっている。
【００３０】
以上のような付属物作製シート１について、作業者は、切り離し用目打ち２１〜２４及び３１〜３４に従って余白部分を切り離し、表ジャケット部分２及び裏ジャケット部分３を切り出す。さらに、作業者は、切り出した表ジャケット部分２については、折り曲げ用目打ち２５及び２６に沿って折り目をつけて、収納ケースの開閉蓋に取り付け、切り出した裏ジャケット部分３については、折り曲げ用目打ち３５に沿って折り目をつけて、収納ケースの本体に取り付ける。
【００３１】
図２は、本考案の一実施形態に係る付属物作製シートの他の例を示す平面図である。本例の付属物作製シート１’は、歌詞カード用のブックレット（小冊子）の作製に対応する。
【００３２】
同図を参照して、付属物作製シート１’もまた、印刷を施すことが可能なシート状部材であり、例えば、Ａ３サイズの定型紙である。本例では、歌詞カード用の小冊子として用いられるため、両面印刷可能なシート状部材であることが好ましい。付属物作製シート１’は、小冊子の見開き２ページ（１面）に対応する歌詞カード部分４Ａ及び４Ｂを含む。図示してはいないが、歌詞カード部分４Ａ及び４Ｂには、ＣＤ等に収録された例えばミュージックの歌詞情報が印刷されている。
【００３３】
付属物作製シート１’には、横方向に切り離し用目打ち４１及び４２が形成され、縦方向に切り離し用目打ち４３及び４４が形成されている。つまり、１枚の付属物作製シート１’からは、見開き２ページの歌詞カードが３枚切り出されるようになっている。
【００３４】
また、歌詞カード部分４Ａ及び４Ｂの見開き中央部分には、折り曲げ用目打ち４５が形成されている。折り曲げ用目打ち４５は、切り離し用目打ち４１及び４２に向かって延在しているが、その端部Ｅは、非切り込み部分が形成されるようになっている。つまり、折り曲げ用目打ち４５の切り込み部分は、切り離し用目打ち４１及び４２の切り込み部分又は非切り込み部分に接続することはない。これにより、付属物作製シート１’の切り離し作業において、誤って、折り曲げ用目打ち４５で切り離されることがないようになっている。
【００３５】
以上のような付属物作製シート１’について、作業者は、切り離し用目打ち４１〜４４に従って余白部分を切り離し、歌詞カード部分４Ａ及び４Ｂを切り出す。さらに、作業者は、切り出した歌詞カード部分４Ａ及び４Ｂについて、折り曲げ用目打ち４５に沿って折り目をつけて、ステイプル等の留め具で製本化して、収納ケースの所定の位置に収納する。
【００３６】
本考案によれば、付属物作製シートから作業に不慣れな者でも容易にジャケットを切り出すことができ、ジャケット作製の裁断・製本作業の均質化を図ることができるようになる。
【産業上の利用可能性】
【００３７】
本考案は、ＣＤやＤＶＤ、ブルーレイディスク等のディスク収納ケースに用いられるジャケットの作製シートに広く適用することができる。
【符号の説明】
【００３８】
１，１’…付属物作製シート
２…表ジャケット部分
３…裏ジャケット部分３には
４Ａ，４Ｂ…歌詞カード部分
２１〜２４，３１〜３４，４１〜４４…切り離し用目打ち
２５，２６，３５，４５…折り曲げ用目打ち
【図１】
0003174078.tif 000003
【図２】
0003174078.tif 000004